(57)【要約】【課題】  水中撮影において使い勝手の良い防水ハウジングを提供すること。【解決手段】  カメラ１の撮影レンズ５を収納する鏡筒部１５が突出している防水ハウジング１０であって、前記カメラの補助光発光装置３からの補助光を前記撮影レンズの光軸に対する前記補助光発光装置の位置より前記光軸から離れた位置に誘導して前記防水ハウジングから出射する導光部材１９と、前記防水ハウジングの前記カメラの画像表示装置７に対面する部分が前記画像表示装置に密着する表示領域部分１３ａを有し、前記導光部材１９と前記表示領域部分１３ａの少なくとも一方を具備してなる防水ハウジング１０。【選択図】  図１
2007033567.tif 000002
【特許請求の範囲】
【請求項１】
カメラの撮影レンズを収納する鏡筒部が突出している防水ハウジングであって、
前記カメラの補助光発光装置からの補助光を前記撮影レンズの光軸に対する前記補助光発光装置の位置より前記光軸から離れた位置に誘導して前記防水ハウジングから出射する導光部材と、
前記防水ハウジングの前記カメラの画像表示装置に対面する部分が前記画像表示装置に密着する表示領域部分を有し、
前記導光部材と前記表示領域部分の少なくとも一方を具備してなることを特徴とする防水ハウジング。
【請求項２】
前記導光部材は、光ファイバーからなることを特徴とする請求項１に記載の防水ハウジング。
【請求項３】
前記導光部材は、プリズムからなることを特徴とする請求項１に記載の防水ハウジング。
【請求項４】
前記防水ハウジングまたは前記表示領域部分の少なくとも一方の屈折率は、前記カメラの前記画像表示装置の表面を構成する部材と略同等であることを特徴とする請求項１から３のいずれか１項に記載の防水ハウジング。
【請求項５】
前記防水ハウジングまたは前記表示領域部分の少なくとも一方の屈折率ｎは、以下の条件を満足することを特徴とする請求項１から３のいずれか１項に記載の防水ハウジング。
１．３  ＜  ｎ  ＜  １．８
【請求項６】
前記防水ハウジングまたは前記表示領域部分の少なくとも一方の屈折率は、水の屈折率の近傍にあることを特徴とする請求項１から３のいずれか１項に記載の防水ハウジング。
【請求項７】
前記前記表示領域部分と前記画像表示装置との間に、前記表示領域部分の屈折率と前記画像表示装置の表面を構成する部材の屈折率のいずれか一方または間の屈折率を有する透明な樹脂部材を有することを特徴とする請求項１から６のいずれか１項に記載の防水ハウジング。
【請求項８】
前記樹脂部材は、弾性変形可能であることを特徴とする請求項７に記載の防水ハウジング。
【発明の詳細な説明】
【技術分野】
【０００１】
本発明は、カメラ等の防水ハウジングに関する。
【背景技術】
【０００２】
従来、水中撮影を行うためにカメラを収納して水密状態にする防水ハウジングが市販されている。この防水ハウジングは、水圧によって変形などが発生しない透明樹脂（例えば、ポリカーボネート樹脂等）で形成され、前カバーと後カバーとをＯリングなどのシール材を介してシールすることで水密状態を達成している。
【０００３】
このような防水ハウジングにおいて、収納されたカメラに内蔵されているフラッシュの正面の前カバー位置に障害物がありフラッシュからの補助光がさえぎられる場合、この障害物を避けて補助光を被写体に照射することが提案されている（例えば、特許文献１）。また、デジタルカメラ等に搭載されているモニター装置を保護するために、モニター装置と防水ハウジングの後カバーとの間に空気層を設けるように構成されている（例えば、特許文献２参照）。
【特許文献１】特開２００５−１１５１７８号公報（第６図）
【特許文献２】特開２００２−２４４１８７号公報（第４図）
【発明の開示】
【発明が解決しようとする課題】
【０００４】
特許文献１の開示例では、収納されるカメラの撮影レンズが光軸方向に伸縮しないものであるため、防水ハウジングの前カバーがほぼ平端に構成されている場合について示されている。一方、ズームレンズを内蔵し、撮影レンズが光軸方向に伸縮する構成のカメラでは、撮影レンズがカメラの被写体側に突出するため、このカメラを収納する防水ハウジングは、撮影レンズを収納する鏡筒部が前カバーから被写体側に突出して形成されている。防水ハウジングは、収納されたカメラに比べ寸法が大きく形成されているため、カメラに内臓されているフラッシュで被写体に補助光を照射した時、防水ハウジングの突出した鏡筒部の先端付近で補助光が遮られてしまい、被写体を均一に照明することができなくなると言う問題がある。
【０００５】
また、特許文献２に示す防水ハウジングは、収納されたカメラの撮影画像やカメラ情報などを表示するモニター（例えば、ＬＣＤ）が、後カバーの内面と接触しないように構成されていため、モニターの表面と後カバーの内面との間に空気層があり、空気層と後カバーとの界面でモニターからの光が反射されてしまったり、水中からの外光が後カバーと空気層との界面によって反射してモニターの表示を視認しづらくなると言う問題がある。このように、従来の防水ハウジングでは、水中撮影時に使い勝手が悪いと言う問題がある。
【０００６】
本発明は、上記課題に鑑みて行われたものであり、水中撮影において使い勝手の良い防水ハウジングを提供することを目的としている。
【課題を解決するための手段】
【０００７】
上記課題を解決するために、本発明は、カメラの撮影レンズを収納する鏡筒部が突出している防水ハウジングであって、前記カメラの補助光発光装置からの補助光を前記撮影レンズの光軸に対する前記補助光発光装置の位置より前記光軸から離れた位置に誘導して前記防水ハウジングから出射する導光部材と、前記防水ハウジングの前記カメラの画像表示装置に対面する部分が前記画像表示装置に密着する表示領域部分を有し、前記導光部材と前記表示領域部分の少なくとも一方を具備してなることを特徴とする防水ハウジングを提供する。
【０００８】
また、本発明の防水ハウジングでは、前記導光部材は、光ファイバーからなることが好ましい。
【０００９】
また、本発明の防水ハウジングでは、前記導光部材は、プリズムからなることが好ましい。
【００１０】
また、本発明の防水ハウジングでは、前記防水ハウジングまたは前記表示領域部分の少なくとも一方の屈折率は、前記カメラの前記画像表示装置の表面を構成する部材と略同等であることが好ましい。
【００１１】
また、本発明の防水ハウジングでは、前記防水ハウジングまたは前記表示領域部分の少なくとも一方の屈折率ｎは、以下の条件を満足することが好ましい。
１．３  ＜  ｎ  ＜  １．８
【００１２】
また、本発明の防水ハウジングでは、前記防水ハウジングまたは前記表示領域部分の少なくとも一方の屈折率は、水の屈折率の近傍にあることが好ましい。
【００１３】
また、本発明の防水ハウジングでは、前記前記表示領域部分と前記画像表示装置との間に、前記表示領域部分の屈折率と前記画像表示装置の表面を構成する部材の屈折率のいずれか一方または間の屈折率を有する透明な樹脂部材を有することが好ましい。
【００１４】
また、本発明の防水ハウジングでは、前記樹脂部材は弾性変形可能であることが好ましい。
【発明の効果】
【００１５】
本発明によれば、水中撮影において使い勝手の良い防水ハウジングを提供することができる。
【発明を実施するための最良の形態】
【００１６】
以下、本発明の実施の形態に関し図面を参照しつつ説明する。
【００１７】
（第１実施の形態）
図１は本発明の第１実施の形態にかかる防水ハウジングにカメラが収納されている状態の断面図を示す。
【００１８】
図１において、カメラ１は被写体の輝度が不足している際に補助光を照射するためのフラッシュ３のような補助光発光装置を内蔵している。またカメラ１は撮影レンズ５が光軸に沿って伸縮し、遠方を撮影する時には撮影レンズ５が不図示の被写体側に突出し、使用しないときはカメラ１の本体内に沈胴するように構成されている。
【００１９】
水中ハウジング１０は、前カバー１１と後カバー１３とから構成され、前カバー１１と後カバー１３とが不図示のＯリングを介して内部をシールし、不図示の固定手段で前カバー１１と後カバー１３とが固定され内部のカメラが水密状態に維持される。
【００２０】
前カバー１１には伸縮自在の撮影レンズ５を覆うための鏡筒部１５が前カバー１１に突出して形成されている。また、収納されたカメラ１のフラッシュ３の正面には、フラッシュ３が発光した光をフラッシュ３の位置から撮影レンズ５の光軸に対して離れた位置の前カバー１１に設けられたフレネルレンズ１７に導く光ファイバー１９のような導光部材が配設されている。光ファイバー１９は、光ファイバー保護部材２１で保護され、ねじ２３で前カバー１１に固定されている。
【００２１】
また、カメラ１の画像やカメラ１の情報を表示するモニター７のような画像表示装置に対面する後カバー１３の表示領域部分１３ａは、モニター７の略四角形の表示形状とほぼ同等の略四角形状の領域に形成され、かつモニター７の表面に密着するように構成されている。カメラ１が防水ハウジング１０に収納され前カバー１１と後カバー１３とが閉じられたとき、前カバー１１の内側に設けられた弾性部材９ａ、９ｂがカメラ１の正面の一部に当接してカメラ１を後カバー１３方向に押圧するように構成され、モニター７の表面と表示領域部分１３ａの表面が密着する。このようにして、防水ハウジング１０が構成されている。
【００２２】
本第１実施の形態にかかる防水ハウジング１０では、フラッシュ３からの光は光ファイバー１９でフレネルレンズ１７に誘導され、フレネルレンズ１７から被写体に向け照射される。フレネルレンズ１７は、フラッシュ３の位置に比べ撮影レンズ５の光軸に対して離れた位置のカメラ１の上前方位置に設けられているため、前カバー１１の鏡筒部１５の先端付近１５ａで補助光が遮られることを防止することができる。
【００２３】
また、モニター７の表面と表示領域部分１３ａの表面が密着してカメラ１が防水ハウジング１０中にセットされ空気層を排除できるため、水中からの外光が空気層と表示領域部分１３ａ境界で反射してモニター７に表示された画像が視認しづらくなる事などを抑えることができる。以下、図２を用いてその理由を説明する。
【００２４】
図２は、従来の防水ハウジングの後カバー１３とモニター７との配置を模式的に示している。従来の防水ハウジングでは、モニター７の表面と後カバー１３の内面との間には空気層が存在する。このような構成では、モニター７からの光は、空気層を進行して後カバー１３に入射し、空気層の屈折率（ｎａ＝１．０）と後カバー１３を構成する材料（例えば、ポリカーボネイト樹脂の場合）の屈折率（ｎｐ＝１．６）の差によって空気層と後カバー１３との界面で光が反射され、この反射光が再びモニター７の表面で反射されると言うことが繰り返される。また、後カバー１３内に入射した光も後カバー１３と水（屈折率ｎｗ＝１．３）との界面で反射され、反射された光が再び後カバー１３と空気層との界面によって反射されることが繰り返される。このためモニター７からの光は、それぞれの界面で反射されて弱められるため、水中で観察している撮影者にはモニター７の表示内容が視認しずらくなってしまう。また、一度反射された光が別の面で反射されて撮影者に観察される場合には、画像が重なって視認しづらくなってしまう。
【００２５】
一方、水中側からの外光も、水と後カバー１３との界面及び後カバー１３の内面と空気層との界面で反射して撮影者の目に入るため、モニター７に表示された画像が視認しづらくなる。水中側からの外光の入射角が後カバー１３と空気層との界面における全反射角（約５０．４度）以上になると水中側からの光が全て反射されてしまうためより一層画像が視認しづらくなる。
【００２６】
このように、従来の構成の防水ハウジングでは、モニター７からの光が弱められると供に、水中側からの外光が反射されてモニター７が視認しづらくなる。
【００２７】
図３は、本第１実施の形態における図１のモニター７と後カバー１３の表示領域部分１３ａとが密着した状態の拡大図である。
【００２８】
図３に示すように、本第１実施の形態にかかる防水ハウジング１０では、モニター７の表面と表示領域部分１３ａが密着するように構成されている。モニター７の表面を構成する部材は、例えばガラス（ｎｇ＝１．５）が用いられ、表示領域部分１３ａには、例えばポリカーボネイト（屈折率ｎｐ＝１．６）が用いされているので、両者の屈折率ｎｇ、ｎｐの差が空気層がある場合に比べ小さくなり、モニター７と表示領域部分１３ａとの界面でモニター７からの光を反射する割合が小さくなるので、図２に示す従来の構造の防水ハウジングに比べモニター７に表示された画像の視認性が向上する。
【００２９】
また、水中側からの外光も、モニター７と表示領域部分１３ａとの間に空気層がある場合に比べて、モニター７と表示領域部分１３ａとの界面で反射される割合が少なくなりモニター７まで外光が良く到達するため、半透過反射型の液晶モニターをモニター７に用いた時、十分な外光からの光量が得られバックライトを使わなくてもモニター７を容易に視認できるようになると供に、カメラ１のバッテリーを長持ちさせることが可能となる。
【００３０】
なお、モニター７の表面に密着する表示領域部分１３ａを構成する部材の屈折率がモニター７の表面を構成している部材（例えば、ガラス）の屈折率とほぼ同じ樹脂材を用いることで、両者の界面での反射が抑制でき、モニター７の視認性を更に向上することができる。例えば、防水ハウジング１０をＰＭＭＡ（ポリメチルメタアクリレート、屈折率１．５）で構成することでモニター７の表面を構成するガラスの屈折率に近づけることができる。あるいは、モニター７の表面を構成する部材の屈折率を高め、防水ハウジング１０を構成するポリカーボネイトの屈折率に近づけるようにしても同様の効果を奏する。このように、モニター７の表面を構成する部材の屈折率と表示領域部分１３ａを構成する部材の屈折率を近づける、又は同一にすることでモニター７からの光を透過し、水中からの外光の反射を少なくすることができ、モニター７に表示された画像の視認性を向上させることができる。
【００３１】
さらに、防水ハウジング１０または表示領域部分１３ａの少なくとも一方の屈折率ｎが以下の条件式を満足することが望ましい。
１．３  ＜  ｎ  ＜１．８
【００３２】
条件式を満足す透明な樹脂部材を使用することで、モニター７からの光を透過し、水中からの外光の反射を少なくすることができ、モニター７に表示された画像の視認性を向上させることができる。
【００３３】
条件式の下限値を超えると透明で強度のある樹脂材料が得られ難くなる。条件式の上限値を超えると、水及びモニター７の表面を構成する材料との屈折率差が大きくなり、モニター７からの光透過が悪化し、水中からの外光の反射が多くなり、モニター７に表示された画像の視認性が悪化する。なお、本発明の効果を確実にするために下限値を１．３５にすることが好ましい。また本発明の効果を確実にするために上限値を１．７にすることが好ましい。
【００３４】
（第２実施の形態）
図４は、本発明の第２実施の形態にかかる防水ハウジングがカメラを収納している状態の断面を示す。本第２実施の形態は、第１実施の形態の導光部の構成を変えたものであり、第１実施の形態と同様の構成には同じ符号を付し説明を省略する。
【００３５】
本第２実施の形態にかかる防水ハウジングでは、収納されたカメラ１のフラッシュ３のような補助光発光装置の正面には、フラッシュ３が発光した光をフラッシュ３の位置から撮影レンズ５の光軸に対して離れた位置の前カバー１１に設けられたフレネルレンズ１７に導くプリズム３０のような導光部材が配設されている。プリズム３０は、プリズム保護部材３１で保護され、ねじ２３で前カバー１１に固定されている。
【００３６】
フラッシュ３からの光はプリズム３０で誘導され、前カバー１１のフレネルレンズ１７から被写体に向け照射される。フレネルレンズ１７は、カメラ１のフラッシュ３の位置に比べ撮影レンズ５の光軸に対して離れた位置のカメラ１の上前方位置に設けられているため、前カバー１１の鏡筒部１５の先端付近１５ａで補助光が遮られることを防止することができる。
【００３７】
その他の構成、作用、効果は第１実施の形態と同様であり説明を省略する。
【００３８】
（第３実施の形態）
図５は、本発明の第３実施の形態にかかる防水ハウジングがカメラを収納している状態の断面を示す。本第３実施の形態は、第１実施の形態の表示領域部分の構成を変えたものであり、第１実施の形態と同様の構成には同じ符号を付し説明を省略する。
【００３９】
本第３実施の形態にかかる防水ハウジング１０では、カメラ１のモニター７のような画像表示装置の表面と防水ハウジング１０の後カバー１３の表示領域部分１３ａの表面が透明な樹脂部材４０を介して密着してカメラ１が防水ハウジング１０中にセットされる。樹脂部材４０の屈折率は表示領域部分１３ａを構成する部材（例えば、ポリカーボネイト）の屈折率とモニター７の表面を構成する部材（例えば、ガラス）の屈折率のいずれか一方の値または両者の間の値を有している。
【００４０】
このような構成にすることで、モニター７からの光を透過し、水中からの外光の反射を少なくすることができ、モニター７に表示された画像の視認性を向上させることができる。また、樹脂部材４０を弾性変形可能な部材を使用することで、モニター７を表示領域部分１３ａに密着させる時にモニター７の表面に加わる負荷を軽減することができる。
【００４１】
その他の構成、作用、効果は第１実施の形態と同様であり説明を省略する。
【００４２】
（第４実施の形態）
図６は、本発明の第４実施の形態にかかる防水ハウジングがカメラを収納している状態の断面を示す。本第４実施の形態は、第１実施の形態の表示領域部分の構成が異なるものであり、第１実施の形態と同様の構成には同じ符号を付して説明する。
【００４３】
図６において、カメラ１は被写体の輝度が不足している際に補助光を照射するためのフラッシュ３のような補助光発光装置を内蔵している。またカメラ１は撮影レンズ５が光軸に沿って伸縮し、遠方を撮影する時には撮影レンズ５が不図示の被写体側に突出し、使用しないときはカメラ１の本体内に沈胴するように構成されている。
【００４４】
水中ハウジング１１０は、前カバー１１と後カバー１１３とから構成され、前カバー１１と後カバー１１３とが不図示のＯリングを介して内部をシールし、不図示の固定手段で前カバー１１と後カバー１１３とが固定され内部のカメラ１が水密状態に維持される。
【００４５】
前カバー１１には伸縮自在の撮影レンズ５を覆うための鏡筒部１５が前カバー１１に突出して形成されている。また、収納されたカメラ１のフラッシュ３の正面には、フラッシュ３が発光した光をフラッシュ３の位置から撮影レンズ５の光軸に対して離れた位置の前カバー１１に設けられたフレネルレンズ１７に導く光ファイバー１９のような導光部材が配設されている。光ファイバー１９は、光ファイバー保護部材２１で保護され、ねじ２３で前カバー１１に固定されている。このようにして、防水ハウジング１１０が構成されている。
【００４６】
本第４実施の形態にかかる防水ハウジング１１０では、フラッシュ３からの光は光ファイバー１９で誘導され、前カバー１１のフレネルレンズ１７から被写体に向け照射される。フレネルレンズ１７は、カメラ１のフラッシュ３の位置に比べ撮影レンズ５の光軸に対して離れた位置のカメラ１の上前方位置に設けられているため、前カバー１１の鏡筒部１５の先端付近１５ａで補助光が遮られることを防止することができる。なお、光ファイバー１９を第２実施の形態と同様のプリズム３０にしプリズム保護部材３１で保護してねじ２３で前カバー１１に固定したものにしても良い。
【００４７】
（第５実施の形態）
図７は、本発明の第５実施の形態にかかる防水ハウジングがカメラを収納している状態の断面を示す。本第５実施の形態は、第３実施の形態の導光部材が配設されていないものであり、第３実施の形態と同様の構成には同じ符号を付して説明する。
【００４８】
図７において、カメラ１は被写体の輝度が不足している際に補助光を照射するためのフラッシュ３のような補助光発光装置を内蔵している。またカメラ１は撮影レンズ２０５が光軸に沿って伸縮し、遠方を撮影する時には撮影レンズ５が不図示の被写体側に突出し、使用しないときはカメラ１の本体内に沈胴するように構成されている。
【００４９】
水中ハウジング２１０は、前カバー２１１と後カバー１３とから構成され、前カバー２１１と後カバー１３とが不図示のＯリングを介して内部をシールし、不図示の固定手段で前カバー２１１と後カバー１３とが固定され内部のカメラ１が水密状態に維持される。
【００５０】
前カバー２１１には伸縮自在の撮影レンズ５を覆うための鏡筒部１５が前カバー２１１に突出して形成されている。
【００５１】
また、カメラ１の画像やカメラ１の情報を表示するモニター７のような画像表示装置に対面する後カバー１３の表示領域部分１３ａは、モニター７の略四角形の表示形状とほぼ同等の略四角形状の領域に形成され、かつモニター７の表面に密着するように構成されている。カメラ１が防水ハウジング２１０の内部に収納され前カバー２１１と後カバー１３とが閉じられたとき、前カバー２１１の内側に設けられた弾性部材９ａ、９ｂがカメラ１の正面の一部に当接してカメラ１を後カバー１３方向に押圧するように構成されているため、モニター７の表面と後カバー１３の表示領域部分１３ａの表面が密着する。このようにして、防水ハウジング２１０が構成されている。
【００５２】
本第５実施の形態にかかる防水ハウジング２１０では、カメラ１のモニター７の表面と後カバー１３の表示領域部分１３ａの表面が密着してカメラ１が防水ハウジング中にセットされるため、水中からの光がモニター７の表面と表示領域部分１３ａの界面で反射して、モニター７に表示された画像や情報などが視認しづらくなる事などを抑えることができる。その理由等は、第１実施の形態で図２及び図３を用いて説明した内容と同様であり詳細な説明は第１実施の形態を参照し本第５実施の形態では説明を省略する。
【００５３】
なお、モニター７の表面に密着する表示領域部分１３ａを構成する部材の屈折率がモニター７の表面を構成している部材（例えば、ガラス、屈折率１．５）の屈折率とほぼ同等の樹脂材を用いることで、両者の界面での反射が抑制でき、モニター７の視認性を向上することができる。例えば、防水ハウジング２１０をＰＭＭＡ（ポリメチルメタアクリレート、屈折率１．５）で構成することでモニター７の表面を構成する部材（例えば、ガラス）の屈折率に近づけることができる。あるいは、モニター７の表面を構成する部材の屈折率を高め、防水ハウジング２１０を構成する部材（例えば、ポリカーボネイト）の屈折率に近づけるようにしても同様の効果を奏する。このように、モニター７の表面を構成する部材の屈折率と後カバー１３の表示領域部分１３ａを構成する部分の材料の屈折率を近づける、又は同一にすることでモニター７からの光を透過し、水中からの外光の反射を少なくすることができ、モニター７に表示された画像の視認性を向上させることができる。
【００５４】
さらに、防水ハウジング２１０または表示領域部分１３ａの少なくとも一方の屈折率ｎが以下の条件式を満足することが望ましい。
１．３  ＜  ｎ  ＜１．８
【００５５】
条件式を満足す透明な樹脂部材を使用することで、モニター７からの光を透過し、水中からの外光の反射を少なくすることができ、モニター７に表示された画像の視認性を向上させることができる。
【００５６】
条件式の下限値を超えると透明で強度のある樹脂材料が得られ難くなる。条件式の上限値を超えると、水及びモニター７の表面を構成する材料との屈折率差が大きくなり、モニター７からの光透過が悪化し、及び水中からの外光の反射が多くなるため、モニター７に表示された画像の視認性が悪化する。なお、本発明の効果を確実にするために下限値を１．３５にすることが好ましい。また本発明の効果を確実にするために上限値を１．７にすることが好ましい。
【００５７】
（第６実施の形態）
図８は、本発明の第６実施の形態にかかる防水ハウジングがカメラを収納している状態の断面を示す。本第６実施の形態は、第５実施の形態の表示領域部分の構成を変えたものであり、第５実施の形態と同様の構成には同じ符号を付し説明を省略する。
【００５８】
本第６実施の形態にかかる防水ハウジング２１０は、カメラ１のモニター７のような画像表示装置の表面と防水ハウジング２１０の後カバー１３の表示領域部分１３ａの表面が透明な樹脂部材４０を介して密着してカメラ１が防水ハウジング２１０中にセットされる。樹脂部材４０の屈折率は防水ハウジング２１０の表示領域部分１３ａを構成する部材の屈折率とモニター７の表面を構成する部材（例えば、ガラス）の屈折率の少なくとも一方の値または両者の間の値を有している。
【００５９】
このような構成にすることで、モニター７からの光を透過し、水中からの外光の反射を少なくすることができ、モニター７に表示された画像の視認性を向上させることができる。また、樹脂部材４０に弾性変形可能な部材を用いることによって、モニター７を表示領域部分１３ａに密着させる時にガラスに加わる負荷を軽減することができる。
【００６０】
その他の構成、作用、効果は第５実施の形態と同様であり説明を省略する。
【００６１】
なお、全ての実施の形態において、防水ハウジングと水の界面での外光の反射を少なくするために、防水ハウジング、後カバー、表示領域部分、又は樹脂部材を構成する部材の屈折率を水の屈折率の近傍の部材を用いることで、更にモニターの視認性を向上することができる。
【００６２】
なお、上述の実施の形態は例に過ぎず、上述の構成や形状に限定されるものではなく、本発明の範囲内において適宜修正、変更が可能である。
【図面の簡単な説明】
【００６３】
【図１】本発明の第１実施の形態にかかる防水ハウジングにカメラを収納した状態の断面概略図を示す。
【図２】従来の防水ハウジングの後カバーとモニターの配置を模式的に示す。
【図３】第１実施の形態にかかる防水ハウジングの後カバーとモニターの配置を模式的に示す。
【図４】本発明の第２実施の形態にかかる防水ハウジングにカメラを収納した状態の断面概略図を示す。
【図５】本発明の第３実施の形態にかかる防水ハウジングにカメラを収納した状態の断面概略図を示す。
【図６】本発明の第４実施の形態にかかる防水ハウジングにカメラを収納した状態の断面概略図を示す。
【図７】本発明の第５実施の形態にかかる防水ハウジングにカメラを収納した状態の断面概略図を示す。
【図８】本発明の第６実施の形態にかかる防水ハウジングにカメラを収納した状態の断面概略図を示す。
【符号の説明】
【００６４】
１    カメラ
３    フラッシュ
５    撮影レンズ
７    モニター
９    弾性部材
１０、１１０、２１０  防水ハウジング
１１、２１１    前カバー
１３、１１３    後カバー
１３ａ    表示領域部分
１５    鏡筒部
１７    フレネルレンズ
１９    光ファイバー
２１    光ファイバー保護部材
２３    ねじ
３０    プリズム
３１    プリズム保護部材
４０    樹脂部材
【図１】
2007033567.tif 000003
【図２】
2007033567.tif 000004
【図３】
2007033567.tif 000005
【図４】
2007033567.tif 000006
【図５】
2007033567.tif 000007
【図６】
2007033567.tif 000008
【図７】
2007033567.tif 000009
【図８】
2007033567.tif 000010